(57)【要約】  少なくとも１つのポリマー材料から作られた本体と、浸漬によってラテックスおよび／またはポリマー溶液から本体の外側へと塗布された透明な着色なしの層とを有している乳首、おしゃぶり、吸い口、または噛み輪。
2009522027.tif 000002
【特許請求の範囲】
【請求項１】
１．１  少なくとも１つのポリマー材料から作られた色付きの本体（８、１４、１７）と、
１．２  浸漬によってラテックスおよび／またはポリマー溶液から本体の外側へと塗布された透明な着色なしの層と、
を有している乳首、おしゃぶり、吸い口、または噛み輪。
【請求項２】
色付きの本体（８、１４）が中空である請求項１に記載の乳首、おしゃぶり、吸い口、または噛み輪。
【請求項３】
浸漬によってラテックスおよび／またはポリマー溶液から中空の本体の内側へと塗布された透明な着色なしの内側層（１０）を備えている請求項２に記載の乳首、おしゃぶり、吸い口、または噛み輪。
【請求項４】
色付きの本体の外側へと塗布された透明な着色なしの外側層が、いずれも染料を含んでいない天然および／または合成のラテックスおよび／またはポリマー溶液から浸漬によって形成されている請求項１〜３のいずれか一項に記載の乳首、おしゃぶり、吸い口、または噛み輪。
【請求項５】
中空の色付きの本体の内側へと塗布された透明な着色なしの内側層が、いずれも染料を含んでいない天然および／または合成のラテックスおよび／またはポリマー溶液から浸漬によって形成されている請求項３または４に記載の乳首、おしゃぶり、吸い口、または噛み輪。
【請求項６】
本体（８、１４、１７）が、天然ゴム、シリコーンゴム、または熱可塑性エラストマーから製作されている請求項１〜５のいずれか一項に記載の乳首、おしゃぶり、吸い口、または噛み輪。
【請求項７】
本体が、少なくとも１つの染料を含んでいる材料組成物で構成されている請求項１〜６のいずれか一項に記載の乳首、おしゃぶり、吸い口、または噛み輪。
【請求項８】
本体が、本体の外側および／または内側に色付きの層を備えている請求項１〜７のいずれか一項に記載の乳首、おしゃぶり、吸い口、または噛み輪。
【請求項９】
請求項１〜８のいずれか一項に記載の乳首、おしゃぶり、吸い口、または噛み輪の製造方法であって、
色付きの本体を、いずれも染料を含んでいないラテックスおよび／またはポリマー溶液へと浸漬させることで、透明な着色なしの層を内側および／または外側に得る方法。
【請求項１０】
それぞれが少なくとも１つの染料を含んでいるラテックスおよび／またはポリマー溶液へと浸漬させることによって製作した色付きの本体を、いずれも染料を含んでいないラテックスおよび／またはポリマー溶液へと浸漬させることで、透明な着色なしの層を内側および／または外側に得る請求項９に記載の方法（２浸漬法）。
【請求項１１】
それぞれが少なくとも１つの染料を含んでいるラテックスおよび／またはポリマー溶液へと少なくとも１回浸漬させることによって製作した色付きの本体を、いずれも染料を含んでいないラテックスおよび／またはポリマー溶液へと少なくとも１回浸漬させることで、少なくとも１つの透明な着色なしの層を内側および／または外側に得る請求項９または１０に記載の方法。
【請求項１２】
請求項８〜１１のいずれか一項に記載の乳首、おしゃぶり、吸い口、または噛み輪の製造方法であって、
着色なしの本体を、最初に、それぞれが少なくとも１つの染料を含んでいるラテックスおよび／またはポリマー溶液へと浸漬させることで、色付きの層を外側および／または内側に得、その後に、この方法で製作されて今や色付きである本体を、いずれも染料を含んでいないラテックスおよび／またはポリマー溶液へと浸漬させることで、透明な着色なしの層を内側および／または外側に重ね浸漬として得る方法。
【請求項１３】
いずれも染料を含んでいないラテックスおよび／またはポリマー溶液へと浸漬させることによって製作された着色なしの本体を、最初に、それぞれが少なくとも１つの染料を含んでいるラテックスおよび／またはポリマー溶液へと浸漬させることで、色付きの層を本体の外側および／または内側に得、その後に、この方法で製作されて今や色付きである本体を、いずれも染料を含んでいないラテックスおよび／またはポリマー溶液へと浸漬させることで、透明な着色なしの層を内側および／または外側に重ね浸漬として得る請求項１２に記載の方法（３浸漬法）。
【請求項１４】
いずれも染料を含んでいないラテックスおよび／またはポリマー溶液へと少なくとも１回浸漬させることによって製作された着色なしの本体を、最初に、それぞれが少なくとも１つの染料を含んでいるラテックスおよび／またはポリマー溶液へと少なくとも１回浸漬させることで、少なくとも１つの色付きの層を外側および／または内側に得、その後に、この方法で製作されて今や色付きである本体を、いずれも染料を含んでいないラテックスおよび／またはポリマー溶液へと少なくとも１回浸漬させることで、少なくとも１つの透明な着色なしの層を内側および／または外側に重ね浸漬として得る請求項１２または１３に記載の方法。
【請求項１５】
色付きの本体を、いずれも染料を含んでいない天然および／または合成のラテックスおよび／またはポリマー溶液へと浸漬させることで、少なくとも１つの透明な着色なしの層を内側および／または外側に得る請求項９〜１１のいずれか一項に記載の方法。
【請求項１６】
着色なしの本体を、最初に、それぞれが少なくとも１つの染料を含んでいる天然および／または合成のラテックスおよび／またはポリマー溶液へと浸漬させることで、色付きの層を内側および／または外側に得、その後に、この方法で製作されて今や色付きである本体を、いずれも染料を含んでいない天然および／または合成のラテックスおよび／またはポリマー溶液へと浸漬させることで、透明な着色なしの層を内側および／または外側に重ね浸漬として得る請求項１２〜１４のいずれか一項に記載の方法。
【発明の詳細な説明】
【技術分野】
【０００１】
本発明は、乳首、おしゃぶり、吸い口、および噛み輪、ならびにこれらの製造方法に関する。
【背景技術】
【０００２】
授乳用の乳首（以下では、短く「乳首」と称する）は、乳児用の哺乳瓶の開口に取り付けられる柔軟な材料からのキャップである。乳児は、乳首の飲用の穴を通じて、瓶から流動食を取り出すことができる。
【０００３】
口慰み用の乳首（以下では、短く「おしゃぶり」と称する）は、口当て板を備える柔軟なゴム部品である。
【０００４】
吸い口は、より大きな子供および成人によって使用される水筒のための柔軟なキャップである。
【０００５】
歯生期の乳児および小さな子供が咥えることができるおおむね柔らかい材料からのリング状の物体は、噛み輪と称される。
【０００６】
乳首、おしゃぶり、吸い口、および噛み輪は、主として天然ラテックスおよびシリコーンゴムから製作されるが、熱可塑性エラストマーからも製作される。今日までの製品には、染料の添加が行われていない。なぜならば、染料が使用の最中に製品から放出され、乳児または小さな子供にとって不都合な結果を有する可能性があり、有効な食品規制および製品特有の要件ゆえに許されないと考えられるからである。
【０００７】
しかしながら、例えば、製品をより容易にお互いから見分けることができるように、あるいは審美的な理由から、乳首、おしゃぶり、吸い口、および噛み輪に、色付きの意匠をもたらすことが望ましいと考えられる。
【発明の開示】
【発明が解決しようとする課題】
【０００８】
ここから出発して、本発明は、乳児または小さな子供によって使用されるときに染料を放出することがない色付きの乳首、おしゃぶり、吸い口、または噛み輪を提供するという目的に基づいている。さらに、本発明は、そのような乳首、おしゃぶり、吸い口、または噛み輪の製造方法を提供するという目的に基づいている。
【課題を解決するための手段】
【０００９】
製品に関しては、上記目的が、請求項１の特徴を備える乳首、おしゃぶり、吸い口、または噛み輪によって解決される。乳首、おしゃぶり、吸い口、または噛み輪の好都合な実施例が、従属請求項に示される。
【００１０】
本発明による乳首、おしゃぶり、吸い口、または噛み輪は、内側から外側へと、
・色付きの本体、および
・いずれも染料を有していないラテックスおよび／またはポリマー溶液から製作され、本体を囲んでいる透明な外側層
を有している。
【００１１】
天然および合成のラテックスを使用することが可能である。
【００１２】
本発明による乳首、おしゃぶり、吸い口、または噛み輪においては、色付きの本体が、着色なしの多少なりとも透明な材料の外側層によって囲まれている。この層が、乳児または小さな子供の粘膜が色付きの本体に接することを効果的に防止し、たとえ予測の範囲の機械的な応力が加わっても、着色料が粘膜または食物へと移動することがないように保証する。結果として、これらの消費財に関する必要条件が満足される。一方で、色付きの本体を透明な外側層を通して視認することができるため、色付きの乳首、おしゃぶり、吸い口、および噛み輪、すなわち染料添加物が加えられていない天然ゴムラテックスまたは合成ラテックスの色とは異なる色の乳首、おしゃぶり、吸い口、および噛み輪が、初めて提供される。この方法で、製品を、例えば濃い青色、オレンジ色、緑色、または赤色で提供することができる。
【００１３】
天然ゴムラテックスは、乳首、おしゃぶり、吸い口、および噛み輪の材料として広く普及しており、製造という観点から、天然ゴムラテックスからの外側層の製造は、容易に実現可能である。これは、ユーザに広く受け入れられると予想できる。外側層に合成ラテックスを使用することは、ラテックスアレルギーを有する者において、ラテックスアレルギーを回避できるという利点を有している。例えば、適切な合成ラテックスは、ポリイソプレンラテックスである。実際、ポリイソプレンは、天然ゴムラテックスと同じ強度を有してはいない。しかしながら、適切な材料の本体を使用する場合、全体として十分な製品の強度を得ることができる。特には、本体を天然ゴムラテックスから製作することができる。その際には、合成ラテックスの外側層が、ユーザが本体からのラテックスタンパク質に触れることがないようにする。
【００１４】
原理的には、乳首、おしゃぶり、吸い口、または噛み輪を、中実な物体（ｓｏｌｉｄ  ｂｏｄｙ）として実現することが可能であり、乳首または飲み口には、飲用の穴を哺乳瓶または水筒へと向かう開口に接続する液体のための通過チャネルが設けられる。一実施形態によれば、色付きの本体が、中空である。これは、それぞれ柔軟または弾性的な乳首、おしゃぶり、吸い口、および噛み輪の製造に特に好都合であり、材料の節約を可能にする。
【００１５】
一実施形態によれば、本体が、本体をいずれも染料を含んでいない天然および／または合成のラテックスおよび／またはポリマー溶液へと浸漬させることによって塗布される透明な着色なしの内側層を有している。
【００１６】
別の材料を、本体について考慮することができ、特には、それぞれ柔らかい材料または弾性的な材料を、乳首またはおしゃぶり用に選択することができ、より硬い材料を、噛み輪用に選択することができる。一実施形態によれば、本体が、天然ラテックスまたは合成ラテックスを含んでいる組成物で構成される。この実施形態においては、本体が外側層と同じ特性を有し、したがって製品の柔らかさまたは弾性のそれぞれが、全体が天然ゴムラテックスまたは合成ラテックスから製作される従来からの製品の柔らかさまたは弾性と相違しない。さらに、天然ゴムラテックスまたは合成ラテックスからの本体は、同じ材料の外側層に対してきわめてしっかりとした結合が可能である。
【００１７】
本体の着色は、さまざまな方法で達成可能である。一実施形態によれば、本体が、染料含有の組成物から製作される。すなわち、本体を製作するための組成物へと染料が混ぜられ、先天的に着色された本体が得られる。
【００１８】
さらに、本出願は、
・さまざまな方法（例えば、浸漬、射出成型、押し出し、など）によって、さまざまな一様に着色されたポリマー材料（例えば、天然ゴム、シリコーンゴム、熱可塑性エラストマー、など）から製造できる本体、
・ラテックスおよび／またはポリマー溶液から浸漬によって外側へと塗布される透明な着色なしの層、および
・中空の本体の場合に、必要であれば、ラテックスおよび／またはポリマー溶液から浸漬によって内側へと塗布される透明な着色なしの層
を有する乳首、おしゃぶり、吸い口、または噛み輪に関する。
【００１９】
前記の目的は、請求項９〜１２の特徴を有する方法によって解決される。この方法の好都合な実施例が、従属請求項に示されている。
【００２０】
上記種類の乳首、おしゃぶり、吸い口、または噛み輪を製造するための本発明による方法の一変種においては、色付きの本体を、いずれも染料を含んでいないラテックスおよび／またはポリマー溶液へと浸漬させることで、透明な着色なしの層が内側および／または外側に得られる。
【００２１】
一実施形態によれば、それぞれが少なくとも１つの染料を含んでいるラテックスおよび／またはポリマー溶液へと浸漬させることによって製作した色付きの本体を、いずれも染料を含んでいないラテックスおよび／またはポリマー溶液へと浸漬させることで、透明な着色なしの層が内側および／または外側に得られる（２浸漬法）。
【００２２】
上記種類の乳首、おしゃぶり、吸い口、または噛み輪を製造するための本発明による方法の第２の変種によれば、着色なしの本体を、最初に、それぞれが少なくとも１つの染料を含んでいるラテックスおよび／またはポリマー溶液へと浸漬させることで、透明な色付きの層が内側および／または外側に得られ、その後に、この方法で製作されて今や色付きである本体を、いずれも染料を含んでいないラテックスおよび／またはポリマー溶液へと浸漬させることで、透明な着色なしの層が内側および／または外側に重ね浸漬として得られる。
【００２３】
さらなる実施形態によれば、いずれも染料を含んでいないラテックスおよび／またはポリマー溶液へと浸漬させることによって製作された着色なしの本体を、最初に、それぞれが少なくとも１つの染料を含んでいるラテックスおよび／またはポリマー溶液へと浸漬させることで、色付きの層が外側および／または内側に得られる。その後に、この方法で製作されて今や色付きである本体を、いずれも染料を含んでいないラテックスおよび／またはポリマー溶液へと浸漬させることで、透明な着色なしの層が内側および／または外側に重ね浸漬として得られる（３浸漬法）。
【００２４】
この処理工程は、この方法においては染料が食品に接したときに食品へと移動することがないため、特には哺乳の際の乳首における可能性である。
【００２５】
以下で、本発明を、いくつかの実施例についての添付の図面によって説明する。
【発明を実施するための最良の形態】
【００２６】
図１ａ）によれば、乳首１が、末広がりの移行領域３を介してスプラウト４に接続されたニップル２を有しており、スプラウト４が、下縁に哺乳瓶の開口の縁への取り付けのためのフランジ５を有している。ニップルは、飲用の穴６および通気の穴７を有している。
【００２７】
乳首１は、色付きの本体８を有しており、色付きの本体８は、その外側に、染料を含まないラテックスおよび／またはポリマー溶液から製作された透明な外側層９を有している。さらに、乳首１は、やはり染料を含まないラテックスおよび／またはポリマー溶液から製作された内側層１０を有している。
【００２８】
乳首は任意の色にて製造することができ、そのような色を、外側層９および内側層１０を介して外側から容易に視認することができる。それにもかかわらず、着色顔料は、外側層９および内側層１０によって確実に止められているため、外側へと移動することができず、食物に達することがありえない。
【００２９】
図１ｂ）に示した吸い口においては、その機能が乳首１の造作に実質的に一致する造作が、コロンを付した同じ参照符号で指し示されている。すなわち、ニップル２’が、ドーム状のスプラウト４’の上面に直接据えられている。ニップル２’は、飲用の穴６’を有しており、スプラウト４’の上面に、通気の穴７’が設けられている。
【００３０】
さらに、色付きの本体８’の外側に透明な外側層９’が設けられ、内側に透明な内側層１０’が設けられている。
【００３１】
スプラウト４’は、スプラウト４’を飲用容器へとねじ込むためのねじ山４’’を内周に有している。
【００３２】
好ましくは、それぞれ、吸い口１’が、実質的に剛であるように実現される一方で、乳首１は、好ましくは柔軟または弾性的であるように実現される。
【００３３】
図２によれば、口慰み用の乳首１１が、ゴム部品またはおしゃぶり１２を、口当て１３に固定して有している。ゴム部品１２は、色付きの本体部１４を有しており、本体部１４の外側が、染料を含むラテックスおよび／またはポリマー溶液から製作された透明な外側層１５によって囲まれている。
【００３４】
図３および４によれば、噛み輪１６が、透明な外側層１８によって囲まれたビード状の色付きの本体１７を有している。外側層１８は、染料を含まないラテックスおよび／またはポリマー溶液から製作されている。
【００３５】
図１〜４の実現において、本体は、ラテックスおよび／またはポリマー溶液から製作される。
【図面の簡単な説明】
【００３６】
【図１ａ】本発明による乳首の縦断面である。
【図１ｂ】本発明による吸い口である。
【図２】本発明による口慰み用の乳首の縦断面である。
【図３】本発明による噛み輪の断面である。
【図４】同じ噛み輪の斜め上側からの斜視図である。
【図１ａ】
2009522027.tif 000003
【図１ｂ】
2009522027.tif 000004
【図２】
2009522027.tif 000005
【図３】
2009522027.tif 000006
【図４】
2009522027.tif 000007
【国際調査報告】
2009522027.tif 000008
2009522027.tif 000009
2009522027.tif 000010
2009522027.tif 000011
2009522027.tif 000012
2009522027.tif 000013